(57)【要約】【課題】広告配信者の方針を尊重しつつ、各店舗が独自の広告コンテンツを表示することを可能にする。【解決手段】表示装置３は、情報を表示する表示部３３と、第１広告提供装置１が送信した複数の第１広告を受信する受信部３１と、複数の第１広告と異なる一以上の第２広告を取得する取得部３２と、受信部３１が受信した複数の第１広告のうち、変更が許可されている一以上の第１広告を、一以上の第２広告の少なくともいずれかに置換する対象である置換対象広告として選択する選択部３５１と、置換対象広告の代わりに、一以上の第２広告の少なくともいずれかを表示部３３に表示させる表示制御部３５２と、を有する。【選択図】図２
2018077576.tif 000002
【特許請求の範囲】
【請求項１】
情報を表示する表示部と、
第１広告提供装置が送信した複数の第１広告を受信する受信部と、
前記複数の第１広告と異なる一以上の第２広告を取得する取得部と、
前記受信部が受信した前記複数の第１広告のうち、変更が許可されている一以上の第１広告を、前記一以上の第２広告の少なくともいずれかに置換する対象である置換対象広告として選択する選択部と、
前記置換対象広告の代わりに、前記一以上の第２広告の少なくともいずれかを前記表示部に表示させる表示制御部と、
を有する表示装置。
【請求項２】
前記取得部は、前記第１広告提供装置と異なる第２広告提供装置から、前記第２広告を取得する、
請求項１に記載の表示装置。
【請求項３】
前記受信部は、前記複数の第１広告を表示する順番を示す順番情報をさらに受信し、
前記表示制御部は、前記順番情報が示す前記置換対象広告を表示するタイミングにおいて、前記一以上の第２広告の少なくともいずれかを前記表示部に表示させる、
請求項１又は２に記載の表示装置。
【請求項４】
前記受信部は、前記複数の第１広告のそれぞれに関連付けて、変更が許可されているか否かを示す変更許可情報を受信し、
前記選択部は、前記変更許可情報に基づいて、変更が許可されている前記一以上の第１広告を選択する、
請求項１から３のいずれか一項に記載の表示装置。
【請求項５】
前記受信部は、前記複数の第１広告のそれぞれに関連付けて、変更の優先度を示す前記変更許可情報を受信し、
前記選択部は、前記変更許可情報が示す優先度に基づいて、前記一以上の第１広告から前記置換対象広告を選択する、
請求項４に記載の表示装置。
【請求項６】
前記取得部は、前記一以上の第２広告を前記表示部に表示するための条件を、前記一以上の第２広告のそれぞれに関連付けて取得し、
前記表示制御部は、前記条件が満たされた場合に、前記置換対象広告の代わりに、前記一以上の第２広告のうち、前記条件に関連付けられた第２広告を前記表示部に表示させる、
請求項１から５のいずれか一項に記載の表示装置。
【請求項７】
前記取得部は、前記一以上の第２広告を前記表示部に表示するための気温に関する前記条件を、前記一以上の第２広告のそれぞれに関連付けて取得し、
前記表示制御部は、前記表示装置が設置されたエリアの気温が、前記条件を満たす場合に、前記置換対象広告の代わりに、前記一以上の第２広告のうち、前記条件に関連付けられた第２広告を前記表示部に表示させる、
請求項６に記載の表示装置。
【請求項８】
前記取得部は、前記一以上の第２広告を前記表示部に表示する日時に関する前記条件を、前記一以上の第２広告のそれぞれに関連付けて取得し、
前記表示制御部は、前記条件を満たす日時において、前記置換対象広告の代わりに、前記一以上の第２広告のうち、前記条件に関連付けられた第２広告を前記表示部に表示させる、
請求項６又は７に記載の表示装置。
【請求項９】
第１広告提供装置が送信した複数の第１広告を受信する受信部と、
前記複数の第１広告と異なる一以上の第２広告を取得する取得部と、
前記受信部が受信した前記複数の第１広告のうち、変更が許可されている一以上の第１広告を、前記一以上の第２広告の少なくともいずれかに置換する対象である置換対象広告として選択する選択部と、
前記置換対象広告の代わりに、前記一以上の第２広告の少なくともいずれかを表示装置に表示させる表示制御部と、
を有する電子機器。
【請求項１０】
コンピュータが実行する、
第１広告提供装置から複数の第１広告を受信するステップと、
前記複数の第１広告と異なる一以上の第２広告を取得するステップと、
前記複数の第１広告のうち、変更が許可されている一以上の第１広告を、前記一以上の第２広告の少なくともいずれかに置換する対象である置換対象広告として選択するステップと、
前記置換対象広告の代わりに、前記一以上の第２広告の少なくともいずれかを表示装置に表示させるステップと、
を有する表示制御方法。
【請求項１１】
複数の第１広告を提供する広告提供装置と、
前記複数の第１広告を表示する表示装置と、
を備え、
前記広告提供装置は、
前記複数の第１広告を記憶する記憶部と、
前記複数の第１広告を、変更が許可されているか否かを示す変更許可情報に関連付けて送信する送信部と、
を有し、
前記表示装置は、
前記複数の第１広告を表示する表示部と、
前記複数の第１広告を受信する受信部と、
前記複数の第１広告と異なる一以上の第２広告を取得する取得部と、
前記受信部が受信した前記複数の第１広告のうち、前記変更許可情報が、変更が許可されていることを示している一以上の第１広告を、前記一以上の第２広告の少なくともいずれかに置換する対象である置換対象広告として選択する選択部と、
前記置換対象広告の代わりに、前記一以上の第２広告の少なくともいずれかを前記表示部に表示させる表示制御部と、
を有する表示システム。
【発明の詳細な説明】
【技術分野】
【０００１】
本発明は、広告を表示するための表示装置、電子機器、表示制御方法及び表示システムに関する。
【背景技術】
【０００２】
店頭や店内に設置され、広告を表示することができる表示装置が知られている。特許文献１には、サーバから受信した広告を来場者に対して提示することができる広告システムが開示されている。
【先行技術文献】
【特許文献】
【０００３】
【特許文献１】特開２０１３−２１８０８４号公報
【発明の概要】
【発明が解決しようとする課題】
【０００４】
従来の広告システムにおいては、サーバから受信した広告がそのまま表示されていた。このような広告システムが、本部により統括される複数の店舗から構成される企業（例えば、コンビニエンスストアチェーン）において用いられる場合、本部に設置されたサーバから、各店舗に設置される表示装置に表示する広告コンテンツが配信されることになる。例えば、本部で販売促進を行う商品の広告コンテンツが、全店舗に配信され、全店舗の表示装置で同一の広告コンテンツが表示される。
【０００５】
ところが、店舗に設置された表示装置において、本部から配信された広告コンテンツを表示することが適切でない場合が存在する。例えば、本部から配信された広告コンテンツに含まれている商品が一部の店舗で欠品状態にある場合、欠品状態にある店舗の表示装置で、欠品状態の商品を紹介する広告コンテンツを表示することは好ましくない。また、店舗の採算性を考慮した場合、本部から提供された広告コンテンツを表示させるよりも、店舗の収益に貢献する可能性が高い広告コンテンツを表示させる方が好ましい場合がある。
【０００６】
しかしながら、各店舗が、完全に自由に広告コンテンツを表示させてしまうと、本部の販売戦略に合致した広告コンテンツが表示されないという問題が生じてしまう。また、各店舗が多数の広告コンテンツを作成するには、多くの労力を要してしまうという問題も生じてしまう。
【０００７】
そこで、本発明はこれらの点に鑑みてなされたものであり、広告配信者の方針を尊重しつつ、各店舗が独自の広告コンテンツを表示することを可能にする表示装置、電子機器、表示制御方法及び表示システムを提供することを目的とする。
【課題を解決するための手段】
【０００８】
本発明の第１の態様の表示装置は、情報を表示する表示部と、第１広告提供装置が送信した複数の第１広告を受信する受信部と、前記複数の第１広告と異なる一以上の第２広告を取得する取得部と、前記受信部が受信した前記複数の第１広告のうち、変更が許可されている一以上の第１広告を、前記一以上の第２広告の少なくともいずれかに置換する対象である置換対象広告として選択する選択部と、前記置換対象広告の代わりに、前記一以上の第２広告の少なくともいずれかを前記表示部に表示させる表示制御部と、を有する。
【０００９】
前記取得部は、前記第１広告提供装置と異なる第２広告提供装置から、前記第２広告を取得してもよい。
【００１０】
前記受信部は、前記複数の第１広告を表示する順番を示す順番情報をさらに受信し、前記表示制御部は、前記順番情報が示す前記置換対象広告を表示するタイミングにおいて、前記一以上の第２広告の少なくともいずれかを前記表示部に表示させてもよい。
【００１１】
前記受信部は、前記複数の第１広告のそれぞれに関連付けて、変更が許可されているか否かを示す変更許可情報を受信し、前記選択部は、前記変更許可情報に基づいて、変更が許可されている前記一以上の第１広告を選択してもよい。
【００１２】
前記受信部は、前記複数の第１広告のそれぞれに関連付けて、変更の優先度を示す前記変更許可情報を受信し、前記選択部は、前記変更許可情報が示す優先度に基づいて、前記一以上の第１広告から前記置換対象広告を選択してもよい。
【００１３】
前記取得部は、前記一以上の第２広告を前記表示部に表示するための条件を、前記一以上の第２広告のそれぞれに関連付けて取得し、前記表示制御部は、前記条件が満たされた場合に、前記置換対象広告の代わりに、前記一以上の第２広告のうち、前記条件に関連付けられた第２広告を前記表示部に表示させてもよい。
【００１４】
前記取得部は、前記一以上の第２広告を前記表示部に表示するための気温に関する前記条件を、前記一以上の第２広告のそれぞれに関連付けて取得し、前記表示制御部は、前記表示装置が設置されたエリアの気温が、前記条件を満たす場合に、前記置換対象広告の代わりに、前記一以上の第２広告のうち、前記条件に関連付けられた第２広告を前記表示部に表示させてもよい。
【００１５】
前記取得部は、前記一以上の第２広告を前記表示部に表示する日時に関する前記条件を、前記一以上の第２広告のそれぞれに関連付けて取得し、前記表示制御部は、前記条件を満たす日時において、前記置換対象広告の代わりに、前記一以上の第２広告のうち、前記条件に関連付けられた第２広告を前記表示部に表示させてもよい。
【００１６】
本発明の第２の態様の電子機器は、第１広告提供装置が送信した複数の第１広告を受信する受信部と、前記複数の第１広告と異なる一以上の第２広告を取得する取得部と、前記受信部が受信した前記複数の第１広告のうち、変更が許可されている一以上の第１広告を、前記一以上の第２広告の少なくともいずれかに置換する対象である置換対象広告として選択する選択部と、前記置換対象広告の代わりに、前記一以上の第２広告の少なくともいずれかを表示装置に表示させる表示制御部と、を有する。
【００１７】
本発明の第３の態様の表示制御方法は、コンピュータが実行する、第１広告提供装置から複数の第１広告を受信するステップと、前記複数の第１広告と異なる一以上の第２広告を取得するステップと、前記複数の第１広告のうち、変更が許可されている一以上の第１広告を、前記一以上の第２広告の少なくともいずれかに置換する対象である置換対象広告として選択するステップと、前記置換対象広告の代わりに、前記一以上の第２広告の少なくともいずれかを表示装置に表示させるステップと、を有する。
【００１８】
本発明の第４の態様の表示システムは、複数の第１広告を提供する広告提供装置と、前記複数の第１広告を表示する表示装置と、を備え、前記広告提供装置は、前記複数の第１広告を記憶する記憶部と、前記複数の第１広告を、変更が許可されているか否かを示す変更許可情報に関連付けて送信する送信部と、を有し、前記表示装置は、前記複数の第１広告を表示する表示部と、前記複数の第１広告を受信する受信部と、前記複数の第１広告と異なる一以上の第２広告を取得する取得部と、前記受信部が受信した前記複数の第１広告のうち、前記変更許可情報が、変更が許可されていることを示している一以上の第１広告を、前記一以上の第２広告の少なくともいずれかに置換する対象である置換対象広告として選択する選択部と、前記置換対象広告の代わりに、前記一以上の第２広告の少なくともいずれかを前記表示部に表示させる表示制御部と、を有する。
【発明の効果】
【００１９】
本発明によれば、広告配信者の方針を尊重しつつ、各店舗が独自の広告コンテンツを表示することを可能にするという効果を奏する。
【図面の簡単な説明】
【００２０】
【図１】第１の実施形態に係る表示システムＳの構成を示す図である。
【図２】表示装置３の構成を示す図である。
【図３】複数の第１広告について説明するための図である。
【図４】表示装置３が第２広告提供装置２から取得する一以上の第２広告の一例を示す図である。
【図５】表示装置３に表示される第１広告及び第２広告を時系列に示す図である。
【図６】表示システムＳの動作シーケンスを示す図である。
【図７】第２広告提供装置２の構成を示す図である。
【図８】第２の実施形態に係る表示システムＳの構成を示す図である。
【図９】第３広告提供装置５が配信する第３広告の例を示す図である。
【図１０】第２の実施形態に係る表示装置３が表示する広告について説明するための図である。
【発明を実施するための形態】
【００２１】
＜第１の実施形態＞
［表示システムＳの概要］
図１は、第１の実施形態に係る表示システムＳの構成を示す図である。表示システムＳは、第１広告提供装置１と、第２広告提供装置２（２ａ，２ｂ）と、表示装置３と、表示装置４とを備える。
【００２２】
第１広告提供装置１は、第１広告を配信するサーバであり、例えば、複数の店舗に広告を提供する本部に設置されている。第１広告は、全店舗に共通で用いられる広告である。なお、本明細書における「広告」は、顧客に提示する任意の情報であり、商品やサービスを販売することを目的とした情報に限らない。また、本明細書における「本部」は、店舗に対して第１広告を提供する主体であり、本部と店舗とが同一企業に属していてもよく、異なる企業に属していてもよい。
【００２３】
第２広告提供装置２は、店舗に設置された表示装置３に、店舗に固有の第２広告を提供するコンピュータである。第２広告提供装置２は、例えば店舗に設置されており、店舗に固有の第２広告を記憶している。第２広告提供装置２は、第２広告提供装置２において作成された第２広告を記憶してもよく、第２広告提供装置２以外のコンピュータで作成された第２広告を、記憶媒体又は通信回線を介して取得し、取得した第２広告を記憶してもよい。
【００２４】
表示装置３は、第１広告及び第２広告を表示させるディスプレイである。ディスプレイの種類は任意であるが、屋外に設置された状態で広告を視認しやすくするために、表示装置３は、複数のカラー発光ダイオードを配列したパネルを有するディスプレイであることが好ましい。
【００２５】
表示装置３は、通信回線を介して通信網Ｎ（例えばインターネット）に接続されている。また、表示装置３は、画像伝送インターフェース（例えばＨＤＭＩ（登録商標）インターフェース）を介して、第２広告提供装置２ａと接続されている。表示装置３は、通信回線を介して、第１広告提供装置１から第１広告を受信する。また、表示装置３は、画像伝送インターフェースを介して、第２広告提供装置２ａから第２広告を取得する。
【００２６】
表示装置４は、表示装置３と同様に、第１広告及び第２広告を表示させるディスプレイである。ただし、表示装置４は、通信網Ｎと直接は接続されておらず、画像伝送インターフェースを介して第２広告提供装置２ｂと接続されている。表示装置４は、第１広告を取得した第２広告提供装置２ｂから、第１広告及び第２広告を取得することができる。
【００２７】
表示装置３及び表示装置４は、第１広告提供装置１が配信する複数の第１広告を表示することができるが、複数の第１広告のうち、変更が許可された第１広告を、店舗に固有の第２広告に置換して表示することができる。このようにすることで、表示システムＳにおいては、本部において、全店舗で表示するべき広告として作成された第１広告が全店舗の表示装置３及び表示装置４で表示され、かつ各店舗で独自に表示したい第２広告がある場合に、表示装置３及び表示装置４が第２広告を表示することが可能になる。
以下、表示システムＳの各部の構成及び動作について詳細に説明する。
【００２８】
［表示装置３の構成］
図２は、表示装置３の構成を示す図である。表示装置３は、受信部３１と、取得部３２と、表示部３３と、記憶部３４と、制御部３５とを有する。
【００２９】
受信部３１は、通信網Ｎを介して第１広告提供装置１と通信するための通信インターフェースであり、例えばＬＡＮ（Local Area Network）を有する。受信部３１は、通信網Ｎを介して、第１広告提供装置１が送信した複数の第１広告を受信する。受信部３１は、受信した複数の第１広告を記憶部３４に記憶させる。
【００３０】
また、受信部３１は、複数の第１広告を表示する順番を示す順番情報を受信する。さらに、受信部３１は、複数の第１広告のそれぞれに関連付けて、変更が許可されているか否かを示す変更許可情報を受信する。
【００３１】
図３は、複数の第１広告について説明するための図である。図３に示すように、第１広告は、全店舗やグループに共通の商品情報及びキャンペーン情報等を含む。第１広告のそれぞれには、表示装置３が第２広告に変更することが許可されているか否かを示す変更許可情報としての変更可否フラグが付されている。図３において、変更可否フラグが０の第１広告は、変更が許可されていない第１広告であり、変更可否フラグが１の第１広告は、変更が許可されている第１広告である。
【００３２】
広告ＩＤは、複数の第１広告に含まれるそれぞれの第１広告を識別するための識別情報である。順番情報は、複数の第１広告を順次表示する場合の、各第１広告を表示する順番を示す情報である。図３に示す例においては、第１広告Ａ→Ｂ→Ｃ→Ｄ→Ｅ→Ｆ→Ｇ→Ｈ→Ａ→・・・の順番に表示される。
【００３３】
図３（ａ）は、第１広告Ａ〜Ｈの全ての変更が許可されていない状態を示している。このような第１広告Ａ〜Ｈを受信した表示装置３は、第１広告Ａ〜Ｈの全てを順次表示しなければならない。
【００３４】
図３（ｂ）は、第１広告Ｂ、Ｄ、Ｆの変更が許可されている状態を示している。このような第１広告Ａ〜Ｈを受信した表示装置３は、第１広告Ａ、Ｃ、Ｅ、Ｇ、Ｈを表示する必要があるが、第１広告Ｂ、Ｄ、Ｆを表示するかどうかは任意である。表示装置３は、第２広告提供装置２から一以上の第２広告を取得した場合、第１広告Ｂ、Ｄ、Ｆの少なくともいずれかを、一以上の第２広告に置換して表示することができる。
【００３５】
取得部３２は、第２広告提供装置２から第２広告を取得するためのインターフェースであり、例えばＨＤＭＩコントローラを有する。取得部３２は、第２広告提供装置２のユーザ（例えば店舗の店員）の操作に応じて、第２広告提供装置２から、一以上の第２広告を取得する。取得部３２は、取得した第２広告を記憶部３４に記憶させる。
【００３６】
表示部３３は、情報を表示するためのパネルである。表示部３３は、例えば、複数のカラー発光ダイオードが配列されたパネルである。
【００３７】
記憶部３４は、ＲＯＭ（Read Only Memory）及びＲＡＭ（Random Access Memory）を含む記憶媒体である。記憶部３４は、制御部３５が実行するプログラムを記憶している。また、記憶部３４は、複数の第１広告及び一以上の第２広告を記憶する。
【００３８】
制御部３５は、例えばＣＰＵ（Central Processing Unit）であり、第１広告及び第２広告を表示部３３に表示させるための各種の制御を実行する。制御部３５は、記憶部３４に記憶されたプログラムを実行することにより、選択部３５１及び表示制御部３５２として機能する。
【００３９】
選択部３５１は、受信部３１が受信した複数の第１広告のうち、変更が許可されている一以上の第１広告を、一以上の第２広告の少なくともいずれかに置換する対象である置換対象広告として選択する。選択部３５１は、例えば、変更許可情報に基づいて、変更が許可されている一以上の第１広告を特定する。
【００４０】
表示制御部３５２は、選択部３５１が選択した置換対象広告の代わりに、一以上の第２広告の少なくともいずれかを表示部３３に表示させる。そして、表示制御部３５２は、例えば、順番情報が示す置換対象広告を表示するタイミングにおいて、一以上の第２広告の少なくともいずれかを表示部３３に表示させる。
【００４１】
図４は、表示装置３が第２広告提供装置２から取得する一以上の第２広告の一例を示す図である。図４に示すように、第２広告は、タイムセール情報、店舗のお勧め商品情報、店舗付近の天気に応じた商品情報等のように、店舗特有の事情に基づいて作成された広告である。図４における順番情報は、第２広告を表示する場合の優先度を示している。図４には、第２広告ａ〜ｆの６つの広告が示されているが、表示装置３が取得する第２広告の数は任意である。
【００４２】
図５は、表示装置３に表示される第１広告及び第２広告を時系列に示す図である。図５（ａ）は、表示装置３において、第１広告提供装置１が配信した第１広告Ａ〜Ｈがそのまま全て表示される場合を示している。図５（ｂ）は、第１広告Ａ〜Ｈのうち、置換対象広告である広告Ｂ、Ｄ、Ｆの代わりに、広告Ｂ、Ｄ、Ｆを表示するタイミングにおいて、第２広告ａ、ｂ、ｃが表示される場合を示している。このように、表示制御部３５２は、第２広告の順番情報が示す順番に第２広告を選択して、置換対象広告を置換する。
【００４３】
なお、表示制御部３５２が第２広告を表示するタイミングは任意であり、図５（ｃ）に示すように、表示制御部３５２は、変更が許可されていない第１広告Ａ、Ｃ、Ｅ、Ｇ、Ｈを表示した後に、複数の第２広告ａ、ｂ、ｃを連続して表示してもよい。また、表示制御部３５２は、取得部３２が取得した第２広告の数が置換対象広告の数よりも多い場合、１回目の表示周期において、一部の第２広告を表示し、次の表示周期において、残りの第２広告を表示してもよい。図４及び図５（ｃ）に示す例の場合、Ａ→Ｃ→Ｅ→Ｇ→Ｈ→ａ→ｂ→ｃ→Ａ→Ｃ→Ｅ→Ｇ→Ｈ→ｄ→ｅ→ｆ→Ａ→Ｃ→・・・のように表示される。
【００４４】
［表示システムＳの動作シーケンス］
図６は、表示システムＳの動作シーケンスを示す図である。
まず、第１広告提供装置１は、本部のユーザにより作成された第１広告を取得する（Ｓ１１）。本部のユーザが、作成した第１広告を第１広告提供装置１にアップロードする操作をすることで、第１広告提供装置１は第１広告を取得することができる。第１広告提供装置１は、ユーザの操作に応じて、取得した第１広告を表示装置３に送信する。
【００４５】
表示装置３の受信部３１は、受信した第１広告を記憶部３４に記憶させる（Ｓ１２）。その後、表示制御部３５２は、第１広告の表示を開始する（Ｓ１３）。表示制御部３５２は、店舗のユーザによる表示開始操作が行われたことに応じて表示を開始してもよい。
【００４６】
続いて、第２広告提供装置２は、店舗のユーザにより作成された第２広告を取得する（Ｓ１４）。第２広告提供装置２は、店舗のユーザの操作に応じて、第２広告を表示装置３に送信する。
【００４７】
表示装置３の選択部３５１は、第２広告を第２広告提供装置２から取得すると、第１広告に関連付けられた変更許可情報を参照し、置換対象広告を第２広告に置換する（Ｓ１５）。そして、表示制御部３５２は、置換対象広告以外の第１広告と、置換対象広告の代わりとなる第２広告とを表示部３３に表示させる（Ｓ１６）。
【００４８】
（変形例１）
上記の説明において、変更許可情報は、変更が許可されていることを示す１、又は変更が許可されていないことを示す０の２値により構成されていた。しかしながら、変更許可情報は、２値に限らず、変更の優先度を示す多値の情報であってもよい。例えば、受信部３１は、複数の第１広告のそれぞれに関連付けて、変更の優先度を示す１、２、３、４、５のいずれかの数値を示す変更許可情報を受信してもよい。そして、選択部３５１は、変更許可情報が示す優先度に基づいて、一以上の第１広告から置換対象広告を選択する。変更許可情報が１の場合に、変更の優先度が最も高いならば、選択部３５１は、変更許可情報が１に設定されている第１広告を優先的に置換対象広告として選択する。このようにすることで、第１広告を配信する本部の人が、優先度が高いと考える第１広告が表示されやすくなる。
【００４９】
（変形例２）
取得部３２は、一以上の第２広告を表示部３３に表示するための条件を、一以上の第２広告のそれぞれに関連付けて取得してもよい。そして、表示制御部３５２は、条件が満たされた場合に、置換対象広告の代わりに、一以上の第２広告のうち、条件に関連付けられた第２広告を表示部３３に表示させてもよい。
【００５０】
店舗のユーザは、例えば、店舗の周辺エリアの気温や日時を、一以上の第２広告を表示部３３に表示するための条件として設定することができる。店舗の周辺エリアの気温が条件に設定された場合、表示制御部３５２は、表示装置が設置されたエリアの気温が、条件を満たす場合に、置換対象広告の代わりに、一以上の第２広告のうち、条件に関連付けられた第２広告を表示部３３に表示させる。例えば、表示制御部３５２は、気温が３０℃を超えた場合には、アイスクリームに関する第２広告を表示部３３に表示させ、気温が１５度以下になった場合に、おでんに関する第２広告を表示部３３に表示させる。
【００５１】
日時（時間帯を含む）が条件に設定された場合、表示制御部３５２は、条件を満たす日時において、置換対象広告の代わりに、一以上の第２広告のうち、条件に関連付けられた第２広告を表示部３３に表示させる。例えば、午後６時になると、表示制御部３５２は、午後６時からのタイムセール用に作成された第２広告を表示部３３に表示させる。
【００５２】
（変形例３）
以上の説明においては、表示装置３が、第２広告提供装置２から第２広告を取得する場合を例示したが、表示装置３は、第２広告を第２広告提供装置２から取得せず、他の手段によって第２広告を取得してもよい。例えば、表示装置３がメモリカード等の記憶媒体を接続するインターフェースを有しており、記憶媒体に記憶された第２広告を取得してもよい。
【００５３】
（変形例４）
以上の説明においては、表示装置３が、第１広告提供装置１から第１広告を受信する場合について説明したが、図１の表示装置４のように、表示装置４が第１広告提供装置１から第１広告を受信せず、第２広告提供装置２ｂを介して第１広告を受信してもよい。
図７は、このような場合に適用可能な第２広告提供装置２の構成を示す図である。
【００５４】
第２広告提供装置２は、受信部２１と、取得部２２と、記憶部２３と、制御部２４とを有する。制御部２４は、選択部２４１と、表示制御部２４２とを有する。受信部２１、取得部２２、記憶部２３、制御部２４、選択部２４１及び表示制御部２４２のそれぞれは、図２に示した受信部３１、取得部３２、表示部３３、記憶部３４、選択部３５１及び表示制御部３５２に対応する。ただし、取得部２２は、外部装置又は記憶媒体から第２広告を取得してもよく、第２広告提供装置２において作成された第２広告を取得してもよい。
【００５５】
選択部２４１は、第１広告提供装置１から受信した複数の第１広告のうち、変更が許可されている置換対象広告を選択し、選択した置換対象広告を第２広告に置換する。表示制御部２４２は、変更が許可されていない第１広告と、置換対象広告が置換された第２広告とを時系列に並べた表示用データを作成して、表示用データを表示装置４に対して出力する。表示装置４は、表示制御部２４２から受信した表示用データを表示することで、表示装置３と同様に、変更が許可されていない第１広告と、置換対象広告が置換された第２広告とを表示することができる。
【００５６】
［第１の実施形態の表示システムＳによる効果］
以上説明したように、選択部３５１は、受信部３１が第１広告提供装置１から受信した複数の第１広告のうち、変更が許可されている一以上の第１広告を、置換対象広告として選択する。そして、表示制御部３５２は、置換対象広告の代わりに、一以上の第２広告の少なくともいずれかを表示部３３に表示させる。このようにすることで、表示装置３及び表示装置４は、広告配信者（例えば本部）が必ず表示させたいと考える第１広告とともに、各店舗の独自の第２広告を容易に表示することが可能になる。
【００５７】
＜第２の実施形態＞
図８は、第２の実施形態に係る表示システムＳの構成を示す図である。
第１の実施形態においては、表示装置３が、第１広告提供装置１が配信した第１広告及び第２広告提供装置２から取得した第２広告を表示した。これに対して、第２の実施形態においては、表示装置３が、第３広告提供装置５が配信した第３広告をさらに表示できる点で、第１の実施形態と異なる。第３広告提供装置５は、例えば、本部と店舗の間の階層に位置付けられる拠点又は部門に設置されている。
【００５８】
図９は、第３広告提供装置５が配信する第３広告の例を示す図である。第３広告においても、図３に示した第１広告と同様に、変更可否フラグと、広告ＩＤとが関連付けられている。第３広告は、地域や町のイベントのお知らせ、地域の天災情報や避難場所のように、所定のエリア内の複数の店舗に共通する内容の広告である。
【００５９】
表示装置３の受信部３１は、通信網Ｎを介して第３広告を受信する。選択部３５１は、第１広告提供装置１が配信した第１広告のうち、変更が許可された第１広告を置換対象広告として選択する。また、選択部３５１は、選択した置換対象広告の代わりに表示させる対象となる一以上の第３広告のうち、変更が許可された第３広告を置換対象広告として選択する。表示制御部３５２は、選択部３５１が置換対象広告として選択した第１広告又は第３広告の代わりに、一以上の第２広告の少なくともいずれかを表示部３３に表示させる。
【００６０】
図１０は、第２の実施形態に係る表示装置３が表示する広告について説明するための図である。図１０（ａ）は、図５（ａ）と同様に、表示装置３が、第１広告提供装置１が配信した第１広告Ａ〜Ｈをそのまま全て表示する場合を示している。図５（ｂ）は、表示制御部３５２が、置換対象広告である広告Ｂ、Ｄ、Ｆの代わりに、第３広告α、β、γを表示させる場合を示している。
【００６１】
図１０（ｂ）において表示されている第３広告α、β、γのうち、第３広告α及びγは、変更が許可されている。そこで、表示制御部３５２は、店員の操作に応じて、第３広告α及びγの代わりに第２広告ａ及びｂを表示部３３に表示させる。
【００６２】
［第２の実施形態の表示システムＳによる効果］
以上説明したように、第２の実施形態の表示システムＳにおける表示装置３は、全店舗に共通しないが、所定のエリア内の複数の店舗に共通する第３広告をさらに表示することができる。このようにすることで、所定のエリア内の複数の店舗に共通して顧客に通知すべき情報がある場合に、各店舗で広告を作成する必要がないので、店舗の店員の労力を増やすことなく店舗が含まれるエリアに関連する情報を顧客に提示することが可能になる。
【００６３】
以上、本発明の実施の形態、およびいくつかの実施の形態をもとに説明した。これらの任意の組み合わせによって生じる新たな実施の形態も、本発明の実施の形態に含まれる。組み合わせによって生じる新たな実施の形態の効果は、もとの実施の形態の効果を合わせ持つ。また本発明の技術的範囲は上記実施の形態に記載の範囲には限定されず、その要旨の範囲内で種々の変形及び変更が可能である。
【符号の説明】
【００６４】
１  第１広告提供装置
２  第２広告提供装置
３  表示装置
４  表示装置
５  第３広告提供装置
２１  受信部
２２  取得部
２３  記憶部
２４  制御部
３１  受信部
３２  取得部
３３  表示部
３４  記憶部
３５  制御部
２４１  選択部
２４２  表示制御部
３５１  選択部
３５２  表示制御部
【図１】
2018077576.tif 000003
【図２】
2018077576.tif 000004
【図３】
2018077576.tif 000005
【図４】
2018077576.tif 000006
【図５】
2018077576.tif 000007
【図６】
2018077576.tif 000008
【図７】
2018077576.tif 000009
【図８】
2018077576.tif 000010
【図９】
2018077576.tif 000011
【図１０】
2018077576.tif 000012